(57)【要約】【課題】撮影して得られた画像ファイルの識別に有効な情報をファイル名やフォルダ名に付与できる撮像装置を提供する。【解決手段】撮像装置１Ａは、その周辺に存在する受信可能なＩＣタグを検出し、ＩＣタグに記憶される情報を無線電波により読み出せるＩＣタグリーダ４８を備えている。撮像装置１Ａでは、ＩＣタグがその緯度・経度の情報を記憶している場合には、この情報をＩＣタグリーダ４８で読み取り、例えば「(緯度)＿(経度)＿＊＊＊(連番)．ｊｐｇ」というファイル名をカメラ制御部４０Ａで生成する。そして、このファイル名を、撮影して得られた画像ファイルに付与してメモリカード９に保存する。その結果、画像ファイルの識別に有効な情報をファイル名等に付与できる。【選択図】図１
2006253875.tif 000002
【特許請求の範囲】
【請求項１】
被写体を撮影して画像ファイルを生成する撮像装置であって、
(a)無線による情報発信が可能な情報発信装置に記憶された情報を読み取る読取り手段と、
(b)前記読取り手段で読み取られた情報に基づき、前記画像ファイルに付与するファイル名および／または前記画像ファイルを保存するフォルダ名を設定する設定手段と、
を備えることを特徴とする撮像装置。
【請求項２】
請求項１に記載の撮像装置において、
前記情報発信装置は、ＩＣタグとして構成されており、
前記読取り手段は、
(a-1)前記ＩＣタグの周辺において前記ＩＣタグに記憶された情報の読取りが可能なＩＣタグリーダ、
を有することを特徴とする撮像装置。
【請求項３】
被写体を撮影して画像ファイルを生成する撮像装置であって、
(a)撮影場所に関する情報を取得する情報取得手段と、
(b)前記情報取得手段で取得された情報に基づき、前記画像ファイルに付与するファイル名および／または前記画像ファイルを保存するフォルダ名を設定する設定手段と、
を備えることを特徴とする撮像装置。
【請求項４】
請求項３に記載の撮像装置において、
前記情報取得手段は、
(a-1)ＩＣタグの周辺において前記ＩＣタグに記憶された位置情報の無線読取りが可能なＩＣタグリーダと、
(a-2)前記ＩＣタグリーダで読み取られた位置情報に基づき、前記撮影場所に関する情報を取得する手段と、
を有し、
前記ＩＣタグは、所定の間隔で配設されていることを特徴とする撮像装置。
【請求項５】
請求項３または請求項４に記載の撮像装置において、
前記情報取得手段は、
(a-3)ＧＰＳを用いて前記撮像装置の位置を検出する位置検出手段と、
(a-4)前記位置検出手段で検出された位置の情報に基づき、前記撮影場所に関する情報を取得する手段と、
を有することを特徴とする撮像装置。
【発明の詳細な説明】
【技術分野】
【０００１】
本発明は、被写体を撮影して画像ファイルを生成する撮像装置に関する。
【背景技術】
【０００２】
デジタルカメラなどの撮像装置を用いて撮影を行うと、メモリカードに作成されるフォルダは通常１つであり、画像ファイルも「＊＊＊(連番)．ｊｐｇ」（つまり、「＊＊＊０００１．ｊｐｇ」、「＊＊＊０００２．ｊｐｇ」、・・・）といった連番方式によってファイル名が設定される。よって、撮影後に画像ファイルを整理しようとする場合、どの画像ファイルに何が写っているかが分からず、膨大な数の画像ファイル１つ１つを開いて識別作業を行う必要がある。
【０００３】
一方、膨大な画像群から所望の画像を識別する方法として、例えば特許文献１に開示される技術が提案されている。この技術によれば、カメラマンが遊園地等で撮影した多数の画像ファイルから、撮影日時・場所および顧客の移動履歴を参照することにより、顧客が写っていると推定される画像を検索できる。
【０００４】
【特許文献１】特開２００３−１９９０３２号公報
【発明の開示】
【発明が解決しようとする課題】
【０００５】
しかしながら、特許文献１の技術では、撮影日時・場所および顧客の移動履歴の管理が必要であるため、システム構成が複雑である。
【０００６】
一方、画像ファイルの識別に有効な情報を画像記録時に付与できれば、撮影後の画像整理に効果的である。
【０００７】
本発明は、上記課題に鑑みてなされたものであり、撮影して得られた画像ファイルの識別に有効な情報をファイル名やフォルダ名に付与できる撮像装置を提供することを目的とする。
【課題を解決するための手段】
【０００８】
上記の課題を解決するため、請求項１の発明は、被写体を撮影して画像ファイルを生成する撮像装置であって、(a)無線による情報発信が可能な情報発信装置に記憶された情報を読み取る読取り手段と、(b)前記読取り手段で読み取られた情報に基づき、前記画像ファイルに付与するファイル名および／または前記画像ファイルを保存するフォルダ名を設定する設定手段とを備える。
【０００９】
また、請求項２の発明は、請求項１の発明に係る撮像装置において、前記情報発信装置は、ＩＣタグとして構成されており、前記読取り手段は、(a-1)前記ＩＣタグの周辺において前記ＩＣタグに記憶された情報の読取りが可能なＩＣタグリーダを有する。
【００１０】
また、請求項３の発明は、被写体を撮影して画像ファイルを生成する撮像装置であって、(a)撮影場所に関する情報を取得する情報取得手段と、(b)前記情報取得手段で取得された情報に基づき、前記画像ファイルに付与するファイル名および／または前記画像ファイルを保存するフォルダ名を設定する設定手段とを備える。
【００１１】
また、請求項４の発明は、請求項３の発明に係る撮像装置において、前記情報取得手段は、(a-1)ＩＣタグの周辺において前記ＩＣタグに記憶された位置情報の無線読取りが可能なＩＣタグリーダと、(a-2)前記ＩＣタグリーダで読み取られた位置情報に基づき、前記撮影場所に関する情報を取得する手段とを有し、前記ＩＣタグは、所定の間隔で配設されている。
【００１２】
また、請求項５の発明は、請求項３または請求項４の発明に係る撮像装置において、前記情報取得手段は、(a-3)ＧＰＳを用いて前記撮像装置の位置を検出する位置検出手段と、(a-4)前記位置検出手段で検出された位置の情報に基づき、前記撮影場所に関する情報を取得する手段とを有する。
【発明の効果】
【００１３】
上記の課題を解決するため、請求項１および請求項２の発明によれば、無線による情報発信が可能な情報発信装置に記憶された情報を読み取り、この情報に基づき画像ファイルに付与するファイル名および／または画像ファイルを保存するフォルダ名を設定するため、撮影して得られた画像ファイルの識別に有効な情報をファイル名やフォルダ名に付与できる。
【００１４】
特に、請求項２の発明においては、ＩＣタグの周辺においてＩＣタグに記憶された情報の読取りが可能なＩＣタグリーダを有しているため、情報の読取りを容易に行える。
【００１５】
また、請求項３の発明によれば、撮影場所に関する情報を取得し、この情報に基づき画像ファイルに付与するファイル名および／または画像ファイルを保存するフォルダ名を設定するため、撮影して得られた画像ファイルの識別に有効な情報をファイル名やフォルダ名に付与できる。
【００１６】
また、請求項４の発明においては、所定の間隔で配設されているＩＣタグからＩＣタグリーダによって位置情報に基づき撮影場所に関する情報を取得するため、撮影場所情報の取得を容易に行える。
【００１７】
また、請求項５の発明においては、ＧＰＳを用いて撮像装置の位置を検出する位置検出手段によって検出された位置の情報に基づき撮影場所に関する情報を取得するため、撮影場所情報の取得を容易に行える。
【発明を実施するための最良の形態】
【００１８】
＜第１実施形態＞
＜撮像装置の要部構成＞
図１は、本発明の第１実施形態に係る撮像装置１Ａの機能ブロックを示す図である。
【００１９】
撮像装置１Ａは、デジタルカメラとして構成されており、撮像センサ１１と、撮像センサ１１に接続する信号処理部２と、信号処理部２に接続する画像処理部３と、カメラ制御部４０Ａとを備えている。
【００２０】
撮像センサ１１は、Ｒ(赤)、Ｇ(緑)、Ｂ(青)の原色透過フィルターが市松状に配列されたエリア撮像センサとして構成されており、全画素読み出しタイプの撮像素子となっている。この撮像センサ１１では、電荷の蓄積が完了すると光電変換された信号が遮光された転送路にシフトされ、ここからバッファを介して読み出されて、レンズ群１３を含む撮像光学系により結像された被写体像に係る画像信号が出力される。また、撮像センサ１１の前には、光学ＬＰＦ１２が設けられている。
【００２１】
信号処理部２は、ＣＤＳ２１とＡＧＣ２２とＡ／Ｄ変換部２３とを有している。
【００２２】
撮像センサ１１から出力された画像信号は、ＣＤＳ２１でサンプリングされ撮像センサ１１のノイズを除去した後、ＡＧＣ２２により感度補正が行われる。
【００２３】
Ａ／Ｄ変換部２３は、例えば１０ビットＡＤ変換器として構成されており、ＡＧＣ２２で正規化されたアナログ信号をデジタル化する。デジタル化された画像信号は、画像処理部３で所定の画像処理が施された画像ファイルが生成される。
【００２４】
画像処理部３は、ＣＰＵおよびメモリを有しており、デジタル処理部３ａと画像圧縮部３５とビデオエンコーダー３８とメモリカードドライバ３９とを備えている。
【００２５】
デジタル処理部３ａは、カラーバランス評価用積算器３０と画素補間部３１と解像度変換部３２とホワイトバランス制御部３３とガンマ補正部３４とを有している。
【００２６】
画像処理部３に入力された画像データは、撮像センサ１１の読出しに同期し、例えばＳＤＲＡＭで構成される画像メモリ４１に書込みまれる。以後、この画像メモリ４１に格納される画像データにアクセスし、デジタル処理部３ａで各種の処理が行われる。
【００２７】
画像メモリ４１上の画像データは、カラーバランス評価用積算器３０によって、色毎(ＲＧＢ)に小エリア毎の画素積算データが算出される。この小エリアとは、１画面を多分割した分割エリアのことである。このような小エリア内での画素値の積算を行うことにより平均処理を施すのと同等の効果が得られる。このカラーバランス評価用積算器３０の演算結果を用いてＲＧＢ各画素のゲインデータが求められる。
【００２８】
そして、ホワイトバランス制御部３３によりＲＧＢ各画素が独立にゲイン補正されて、ＲＧＢのホワイトバランス補正が行われる。このホワイトバランス補正では、撮影被写体から本来白色と思われる部分を輝度、彩度データ等から推測しその部分のＲ、Ｇ、Ｂそれぞれの平均、Ｇ／Ｒ比、Ｇ／Ｂ比を求めて、このＧ／Ｒ比およびＧ／Ｂ比をＲ、Ｂの補正ゲインとして補正制御が行われる。
【００２９】
ホワイトバランス補正が行われた画像データは、画素補間部３１でＲＧＢ各画素をそれぞれのフィルターパターンでマスキングした後、高帯域まで画素を持つＧについてはメディアン(中間値)フィルターで周辺４画素の中間２値の平均値に置換する。Ｒ、Ｂに関しては平均補間が行われる。
【００３０】
補間された画像データにおけるＲＧＢデータは、ガンマ補正部３４で各出力機器に適合した非線形変換が行われた後、マトリクス演算によりＲＧＢからＹ、Ｒ−Ｙ、Ｂ−Ｙデータが算出されて画像メモリ４１に格納される。
【００３１】
そして、このＹ、Ｒ−Ｙ、Ｂ−Ｙデータについては、水平垂直の縮小または間引きが行われ、解像度変換部３２で記録画像の画素数に解像度変換が行われる。また、モニタ表示においても、解像度変換部３２で間引きが行われ、ＬＣＤモニタ４３、電子ビューファインダー４４で表示するための低解像度画像を作成する。
【００３２】
プレビュー(ライブビュー)時は、画像メモリ４１から読み出された６４０＊２４０画素の低解像度画像がビデオエンコーダー３８でＮＴＳＣ／ＰＡＬにエンコードされ、これをフィールド画像として電子ファインダー４４またはＬＣＤモニタ４３で画像再生を行う。また、画像記録時は、設定された記録用解像度の画像を画像圧縮部３５により例えばＪＰＥＧ方式の圧縮処理を行った後に、メモリーカードドライバー３９によりメモリーカード９に圧縮画像が記録される。
【００３３】
カメラ制御部４０Ａは、ＣＰＵおよびメモリを備え、シャッターボタン、ズームボタン、メインスイッチなどを有する操作部４９に対して撮影者が行う操作入力を処理する。
【００３４】
撮像装置１Ａは、本撮影前に被写体を動画的態様でＬＣＤモニタ４３などに表示するライブビュー表示時には、シャッター４５の光学絞り値が絞りドライバー４６によって開放固定となる。また、撮像センサ１１の電荷蓄積時間に関しては、撮像センサ１１で取得した画像のうち選択された測光エリアで測光される光量データに基づき、カメラ制御部４０Ａで露出制御データが演算される。そして、カメラ制御部４０Ａで算出された露出制御データに基づいて予め設定されたプログラム線図により、タイミングジェネレーターセンサドライバー４７で撮像センサ１１の露光時間が適正となるようにフイードバック制御が行われる。
【００３５】
また、撮像装置１Ａでは、本撮影時に、上記の測光された光量データに基づき予め設定されたプログラム線図により絞りドライバ４６とタイミングジェネレーターセンサドライバー４７で撮像センサ１１ヘの露光量が制御される。
【００３６】
撮像装置１Ａは、無線による情報発信が可能な情報発信装置として機能するＩＣタグの周辺、つまりＩＣタグを中心とした一定範囲の特定領域においてＩＣタグに記憶された情報の読取りが可能なＩＣタグリーダ４８を備えている。そして、このＩＣタグリーダ４８を用いて取得されたＩＣタグの情報に基づき、撮像装置１Ａでは撮影画像データのファイル名を設定できるようになっている。このファイル名の設定について詳しく説明する。
【００３７】
＜ファイル名の設定について＞
撮像装置１Ａは、上述のように撮像装置１Ａの周辺に存在する受信可能なＩＣタグを検出し、ＩＣタグの情報を無線電波により読み出せるＩＣタグリーダ４８を有している。
【００３８】
ここで、上記のＩＣタグが緯度および経度についての場所情報を記憶している場合には、この情報を撮影画像ファイルのファイル名に反映できれば、撮影場所が明確となって画像整理の際に便利である。なお、ＩＣタグは通常、受信可能範囲が数メートル程度と比較的狭い範囲に限定されるため、緯度・経度情報を格納するＩＣタグは所定の間隔（例えば上記の数メートルおき）で配設するのが好ましい。
【００３９】
そこで、撮像装置１Ａでは、ＩＣタグ内にＩＣタグの位置を表す緯度・経度情報が格納されている場合、この位置情報をＩＣタグリーダ４８で読み取り、例えば「(緯度)＿(経度)＿＊＊＊(連番)．ｊｐｇ」という構成のファイル名をカメラ制御部４０Ａで生成する。そして、このように設定されたファイル名を、画像ファイルに付与してメモリカード９に保存する。
【００４０】
以上のようにＩＣタグリーダ４８で読み取られた位置情報に基づき撮影場所に関する情報を取得し、この撮影場所情報を反映したファイル名を設定するため、画像ファイルの識別に有効な情報をファイル名に付与できることとなる。
【００４１】
一方、ＩＣタグリーダ４８によってＩＣタグが検出されない場合、またはＩＣタグが検出されても緯度・経度情報などの位置情報が格納されていない場合には、上記の背景技術で説明した通常の連番方式、例えば「＊＊＊(連番)．ｊｐｇ」というファイル名が設定される。
【００４２】
＜撮像装置１Ａの動作＞
図２は、撮像装置１Ａの基本的な動作を示すフローチャートである。本動作は、カメラ制御部４０Ａによって実行される。
【００４３】
ステップＳＴ１では、操作部４９のシャッターボタンに対する撮影者の操作により撮影指示が行われたかを判定する。具体的には、シャッターボタンが全押し(Ｓ２オン)されたかを判断する。ここで、撮影指示が行われた場合には、ステップＳＴ２に進み、撮影指示が行われていない場合には、ステップＳＴ１を繰り返す。
【００４４】
ステップＳＴ２では、撮像センサ１１にて露光を行う。
【００４５】
ステップＳＴ３では、絞りドライバー４６によってシャッター４５を閉じる。
【００４６】
ステップＳＴ４では、撮像センサ１１から画像信号を読み出して撮影画像を取得する。
【００４７】
ステップＳＴ５では、ステップＳＴ４で取得した撮影画像に対して信号処理部２および画像処理部３で画像処理を行う。
【００４８】
ステップＳＴ６では、ステップＳＴ５で画像処理された画像データに対して画像圧縮部３５によりＪＰＥＧ形式の圧縮処理を施し、画像ファイルを生成する。
【００４９】
ステップＳＴ７では、ＩＣタグリーダ４８により撮像装置１Ａの周辺に存在するＩＣタグが検出されたかを判定する。ここで、ＩＣタグが検出された場合には、ステップＳＴ８に進み、検出されない場合には、ステップＳＴ１１に進む。
【００５０】
ステップＳＴ８では、ＩＣタグリーダ４８により検出されたＩＣタグに記憶される情報を読み出す。
【００５１】
ステップＳＴ９では、ステップＳＴ８で読み出されたＩＣタグの記憶情報が利用可能であるかを判定する。すなわち、上述した緯度・経度情報がＩＣタグから得られるか否かを判断する。ここで、ＩＣタグの情報が利用可能である場合には、ステップＳＴ１０に進み、利用可能でない場合には、ステップＳＴ１１に進む。
【００５２】
ステップＳＴ１０では、ＩＣタグの情報を、ステップＳＴ６で生成した画像ファイルのファイル名に反映する。例えば、上述した「(緯度)＿(経度)＿＊＊＊(連番)．ｊｐｇ」というファイル名が設定される。
【００５３】
ステップＳＴ１１では、ステップＳＴ６で生成した画像ファイルのファイル名を、上述した通常の連番方式で作成する。
【００５４】
ステップＳＴ１２では、ステップＳＴ１０またはステップＳＴ１１で設定されたファイル名が付与された画像ファイルを、メモリカード９に保存する。
【００５５】
以上の撮像装置１Ａの動作により、ＩＣタグリーダで読み取った緯度・経度情報をファイル名に反映させるため、撮影して得られた画像ファイルの識別に有効な情報をファイル名に付与できる。
【００５６】
＜第２実施形態＞
本発明の第２実施形態に係る撮像装置１Ｂについては、第１実施形態の撮像装置１Ａと類似する構成を有しているが、カメラ制御部の構成が異なっている。
【００５７】
すなわち、撮像装置１Ｂのカメラ制御部４０Ｂは、ＩＣタグリーダ４８で読み出されたＩＣタグの情報を反映したフォルダ名を設定することが可能となっている。
【００５８】
具体的には、ＩＣタグ内に緯度・経度情報が格納されている場合には、この位置情報をＩＣタグリーダ４８で読み取り、例えば「(緯度)＿(経度)」という名称のフォルダをメモリカード９に生成する。そして、このフォルダに、被写体を撮影して得られた画像ファイルを保存する。
【００５９】
以上のようにＩＣタグリーダ４８で読み取られた位置情報に基づき撮影場所に関する情報を取得し、この撮影場所情報を反映したフォルダ名を設定するため、画像ファイルの識別に有効な情報をフォルダ名に付与できることとなる。
【００６０】
一方、ＩＣタグリーダ４８によってＩＣタグが検出されない場合、またはＩＣタグが検出されても緯度・経度情報などの位置情報が格納されていない場合には、上記の背景技術で説明した通常の方式でフォルダ名が設定される。
【００６１】
＜撮像装置１Ｂの動作＞
図３は、撮像装置１Ｂの基本的な動作を示すフローチャートである。本動作は、カメラ制御部４０Ｂによって実行される。
【００６２】
ステップＳＴ２１〜ＳＴ２９では、図２のフローチャートに示すステップＳＴ１〜ＳＴ９と同様の動作を行う。
【００６３】
ステップＳＴ３０では、ＩＣタグの情報をフォルダ名に反映したフォルダをメモリカード９に生成する。例えば、上述した「(緯度)＿(経度)」という構成のフォルダ名が設定される。
【００６４】
ステップＳＴ３１では、上述した通常の方式で作成したフォルダ名のフォルダをメモリカード９に生成する。
【００６５】
ステップＳＴ３２では、ステップＳＴ３０またはステップＳＴ３１で設定されたフォルダ名が付与されたフォルダに、ステップＳＴ２６で生成した画像ファイルを保存する。
【００６６】
以上の撮像装置１Ｂの動作により、ＩＣタグリーダで読み取った緯度・経度情報をフォルダ名に反映させるため、撮影して得られた画像ファイルの識別に有効な情報をフォルダ名に付与できる。
【００６７】
なお、撮像装置１Ａ、１Ｂにおいては、ＩＣタグを利用して撮影場所に関する情報を取得するのは必須でなく、ＧＰＳ(グローバル・ポジショニング・システム)を用いて撮像装置の位置を検出する位置検出器を撮像装置に設け、この位置検出器で検出された位置の情報に基づき、撮影場所に関する情報を取得するようにしても良い。このような方法で得られた撮影場所情報をファイル名やフォルダ名に反映することよっても、画像ファイルの識別に有効である。
【００６８】
＜変形例＞
◎上記の各実施形態におけるＩＣタグの情報については、ファイル名のみ、フォルダ名のみに反映させるのは必須でなく、ファイル名およびフォルダ名に反映させるようにしても良い。この具体例１〜３を以下で説明する。
【００６９】
(１)具体例１
動物園のゾウの囲いの適所に設置されるＩＣタグからゾウという情報をＩＣタグリーダ４８で読み取り、「ＺＯＵ」という名称のフォルダをメモリカード９に作成する。そして、「ＺＯＵ＿＊＊＊(連番)．ｊｐｇ」という名称の画像ファイルを上記の「ＺＯＵ」フォルダ内に保存する。
【００７０】
なお、ＩＣタグ内の「＊＊動物園」という情報もＩＣタグリーダ４８を介して取得できるようにすると、「ＺＯＵ」フォルダの上位に「＊＊ＤＯＵＢＵＴＳＵＥＮ」というフォルダを作成することが可能となる。
【００７１】
(２)具体例２
製品に取付けられたＩＣタグにメーカー名や製品名の情報が格納されている場合には、これをＩＣタグリーダ４８で読み取ってファイル名やフォルダ名に反映させる。
【００７２】
例えばカバン販売店に行って、その場所情報からＫＡＢＡＮＹＡという情報を受け取り、まず「ＫＡＢＡＮＹＡ」という名称のフォルダをメモリカード９に作成する。
【００７３】
そして、お目当てのカバンの前でメーカー名および製品名の情報をＩＣタグリーダ４８によって読み取り、「(メーカー名)＿(製品名)＿＊＊＊(連番)．ｊｐｇ」という名称の画像ファイルを、上記の「ＫＡＢＡＮＹＡ」フォルダに保存する。
【００７４】
なお、ＩＣタグリーダ４８で読み取ったメーカー名の情報を反映した名称のフォルダを作成するようにしても良い。
【００７５】
(３)具体例３
著名人が所持しているＩＣタグから、その人物名の情報をＩＣタグリーダ４８で読み取ってファイル名やフォルダ名に反映させる。
【００７６】
例えば野球観戦に行ってスター選手の前で撮影する場合、スター選手が着用している帽子に内蔵されたＩＣタグから人物名の情報を読み取り、この情報を反映した名称のフォルダをメモリカード９に作成する。そして、このフォルダ内に「(人物名)＿＊＊＊(連番)．ｊｐｇ」という名称の画像ファイルを保存する。
【００７７】
以上のようにＩＣタグ内の人物名情報を利用する場合、混み合った場所等では複数のＩＣタグから複数の人物名情報を読み取ってしまう可能性がある。このような場合には読み取れた複数の人物名情報を全てリストアップした表示を撮影後にＬＣＤモニタ４３等で行い、撮影者に選択させるようにするのが好ましい。
【図面の簡単な説明】
【００７８】
【図１】本発明の第１実施形態に係る撮像装置１Ａの機能ブロックを示す図である。
【図２】撮像装置１Ａの基本的な動作を示すフローチャートである。
【図３】本発明の第２実施形態に係る撮像装置１Ｂの基本的な動作を示すフローチャートである。
【符号の説明】
【００７９】
１Ａ、１Ｂ  撮像装置
２  信号処理部
３  画像処理部
９  メモリカード
１１  撮像センサ
４０Ａ、４０Ｂ  カメラ制御部
４３  ＬＣＤモニタ
４４  電子ビューファインダー
４５  シャッター
４８  ＩＣタグリーダ
４９  操作部
【図１】
2006253875.tif 000003
【図２】
2006253875.tif 000004
【図３】
2006253875.tif 000005